(57)【要約】【課題】施工の初期段階で建築物が不安定な構造とならず、高所での作業を必要とせず工期が短縮可能な建築物の施工方法を提供する。【解決手段】Ｎ枚のスラブ１２〜１４を順次打設した後、柱２の頂部に取り付けられた滑車２１を介したワイヤー２４で第１スラブ以外のスラブ１３、１４を所定の位置まで吊り上げ、柱２の上部に各スラブ１３、１４を仮止めし、更にワイヤー２４で第１スラブ１２を吊り上げると共に、第１スラブ１２の下面に筋違３１の一端を回動可能に取り付け、筋違３１の他端に転動可能なローラ付きの滑車２３を取り付け、滑車２３に掛けられたワイヤー２５を引き、筋違３１により第１スラブ１２を押し上げて所定の位置に吊り上げ、第１スラブ１２を柱２に固定し、同様に第２から第Ｎスラブ１３、１４を順次柱２に固定する建築物の施工方法である。【選択図】図３ａ
2009299346.tif 000002
【特許請求の範囲】
【請求項１】
柱が立設された建築物の基礎部に、前記柱が外側になるように型枠を組み、前記型枠内に剥離部材を敷設し、更に前記剥離部材に上に補強部材を配置し、前記型枠内に生コンクリートを流し込み、フック掛け部を備える、第１スラブを打設し、
前記第１スラブ上に、前記柱が外側になるように型枠を組み、前記型枠内に剥離部材を敷設し、更に前記剥離部材に上に補強部材を配置し、前記型枠内に生コンクリートを流し込み、四隅にフック掛け部を備える、第２スラブを打設する工程を繰り返して、第１から第Ｎまでのスラブを打設し、
前記柱の頂部に取り付けられた滑車を介したワイヤーで前記第１スラブ以外のスラブを所定の位置まで吊り上げ、前記柱の上部に各スラブを仮止めし、更に前記ワイヤーで前記第１スラブを所定の位置まで吊り上げ、前記第１スラブを前記柱に固定し、
同様に第２から第Ｎスラブを順次前記柱に固定することを特徴とする建築物の施工方法。
【請求項２】
柱が立設された建築物の基礎部に、前記柱が外側になるように型枠を組み、前記型枠内に剥離部材を敷設し、更に前記剥離部材に上に補強部材を配置し、前記型枠内に生コンクリートを流し込み、フック掛け部を備える、第１スラブを打設し、
前記第１スラブ上に、前記柱が外側になるように型枠を組み、前記型枠内に剥離部材を敷設し、更に前記剥離部材に上に補強部材を配置し、前記型枠内に生コンクリートを流し込み、四隅にフック掛け部を備える、第２スラブを打設する工程を繰り返して、第１から第Ｎまでのスラブを打設し、
前記柱の頂部に取り付けられた滑車を介したワイヤーで前記第１スラブ以外のスラブを所定の位置まで吊り上げ、前記柱の上部に各スラブを仮止めし、更に前記ワイヤーで前記第１スラブを吊り上げると共に、前記第１スラブの下面に筋違の一端を回動可能に取り付け、前記筋違の他端に転動可能なローラ付きの滑車を取り付け、前記滑車に掛けられたワイヤーを引き、前記筋違により前記第１スラブを押し上げて所定の位置に吊り上げ、前記第１スラブを前記柱に固定し、
同様に第２から第Ｎスラブを順次前記柱に固定することを特徴とする建築物の施工方法。
【請求項３】
前記各スラブは四隅に仮止めのための凹部を備え、前記柱は所定の位置に水平部材を備えた、
前記各スラブの仮止め方法は、前記凹部に挿入された仮止め具と前記柱の水平部材との係止によりなされる方法である請求項１又は２に記載の建築物の施工方法。
【請求項４】
前記各スラブの固定の方法は、各スラブに接合され、前記柱を貫通した又は前記柱に貫通された接合部材と、前記柱とをコンクリートで打設して各スラブを前記柱に固定する方法である請求項１〜３のいずれかに記載の建築物の施工方法。
【請求項５】
前記各スラブの固定の方法は、各スラブに接合され、前記柱を貫通した又は前記柱に貫通された接合部材と、前記柱と、前記柱に接する壁部材とをコンクリートで打設して各スラブを前記柱に固定する方法である請求項１〜４のいずれかに記載の建築物の施工方法。
【発明の詳細な説明】
【技術分野】
【０００１】
本発明は、建築物の施工方法に関し、より詳細には、屋根スラブや床スラブを予め打設した後、屋根スラブや床スラブを地上に近い階の床スラブから順次、該スラブを柱に剛接する建築物の施工方法に関する。
【背景技術】
【０００２】
リフトアップ工法と呼ばれる従来の工法では、屋根スラブ、床スラブを順次柱に剛接していた。まず、地上で打設した屋根スラブを吊り上げ、柱の所定の位置に該屋根スラブを剛接する。次いで、地上で打設した最上階の床スラブを吊り上げ、柱の所定の位置に該床スラブを剛接する。以下、より下の階の床スラブを吊り上げ、柱の所定の位置に該床スラブを剛接する。
【発明の開示】
【発明が解決しようとする課題】
【０００３】
かかる工法では、高所から順にスラブを吊り上げ、屋根や上階部から施工するため、施工の初期段階では建築物は揺れに対し不安定な構造となる。また、施工の初期段階では、柱とスラブとの剛接には、高所溶接作業が必要となる。したがって、施工の初期段階で建築物が不安定な構造とならず、高所での溶接作業を必要としない施工方法が求められていた。
【０００４】
また、スラブの打設後のコンクリートの養生には時間が掛かるため、工期を短縮する工法が要求されていた。
【課題を解決するための手段】
【０００５】
本願発明の建築物の施工方法は、柱が立設された建築物の基礎部に、前記柱が外側になるように型枠を組み、前記型枠内に剥離部材を敷設し、更に前記剥離部材に上に補強部材を配置し、前記型枠内に生コンクリートを流し込み、フック掛け部を備える、第１スラブを打設し、
前記第１スラブ上に、前記柱が外側になるように型枠を組み、前記型枠内に剥離部材を敷設し、更に前記剥離部材に上に補強部材を配置し、前記型枠内に生コンクリートを流し込み、四隅にフック掛け部を備える、第２スラブを打設する工程を繰り返して、第１から第Ｎまでのスラブを打設し、
前記柱の頂部に取り付けられた滑車を介したワイヤーで前記第１スラブ以外のスラブを所定の位置まで吊り上げ、前記柱の上部に各スラブを仮止めし、更に前記ワイヤーで前記第１スラブを所定の位置まで吊り上げ、前記第１スラブを前記柱に固定し、
同様に第２から第Ｎスラブを順次前記柱に固定することを特徴とする。
建築物の施工方法。
【０００６】
本願発明の建築物の施工方法は、柱が立設された建築物の基礎部に、前記柱が外側になるように型枠を組み、前記型枠内に剥離部材を敷設し、更に前記剥離部材に上に補強部材を配置し、前記型枠内に生コンクリートを流し込み、フック掛け部を備える、第１スラブを打設し、
前記第１スラブ上に、前記柱が外側になるように型枠を組み、前記型枠内に剥離部材を敷設し、更に前記剥離部材に上に補強部材を配置し、前記型枠内に生コンクリートを流し込み、四隅にフック掛け部を備える、第２スラブを打設する工程を繰り返して、第１から第Ｎまでのスラブを打設し、
前記柱の頂部に取り付けられた滑車を介したワイヤーで前記第１スラブ以外のスラブを所定の位置まで吊り上げ、前記柱の上部に各スラブを仮止めし、更に前記ワイヤーで前記第１スラブを吊り上げると共に、前記第１スラブの下面に筋違の一端を回動可能に取り付け、前記筋違の他端に転動可能なローラ付きの滑車を取り付け、前記滑車に掛けられたワイヤーを引き、前記筋違により前記第１スラブを押し上げて所定の位置に吊り上げ、前記第１スラブを前記柱に固定し、
同様に第２から第Ｎスラブを順次前記柱に固定することを特徴とする建築物の施工方法。
【０００７】
まず、本願発明の施工方法によれば、屋根スラブと２階から最上位階までの床スラブとが短期間に打設できるので、施工期間を短縮できる。更に、下の階から建築物が組み立てられるので、施工の初期段階で建築物が不安定な構造とならず、高所での溶接作業を必要としない施工方法となる。
【０００８】
本願発明の施工方法によれば、軽微な装置と少人数の作業で施工でき、更に、仮設材を使用することなく建築物が施工可能となる。
【発明を実施するための最良の形態】
【０００９】
以下、図面を用いて、３階建ての建築物（Ｎ＝３）を例にして、本発明に係る施工方法を説明する。図１ａはスラブを打設する前の建築物を上から見た図であり、図１ｂは建築物の一部を拡大した図、図１ｃは図１ａのＡ−Ａ線断面図である。建築物の基礎部１の四隅には柱２が立設されている。柱２の立設方法は公知の方法で構わない。例えば、図１ｃに示すように再生砕石を敷いた土台１００に柱２を立設させた後コンクリートを打設して柱２を立設固定し、基礎部１を形成することができる。また、柱２の一例として、トラス柱と呼ばれる斜材２ａで補強された柱２を使用することができ、必要に応じて複数のトラス柱を溶接などの方法で順次接続して所定の高さの柱を立設する。なお、後述するが柱２の頂部には滑車が取り付けられている。
【００１０】
次に、２階床スラブ（第１スラブ）、３階床スラブ（第２スラブ）、屋根スラブ（第３スラブ）に相当するスラブの打設について説明するが、以下に述べる構造でなくても所定の強度を有していればよい。図１ｄにおいて、基礎部１には、スラブを打設するために柱２の内側に型枠３（コンパネとも呼ばれるベニヤ板）を立設し、次に剥離部材としてコンパネ４を敷設する。剥離部材としてビニールシートなどを使用してもよい。
【００１１】
そして、補強部材として、トラス梁５を格子状に型枠３内に配置し、トラス梁５が交差している箇所を溶接する。更に補強部材として格子のマス目内に鉄筋６を配置してもよく、所定の強度を確保しつつスラブの軽量化を図るため、発泡スチロールのなどの軽量ブロック（図示しない）を配置してもよい。鉄筋６を軽量ブロックの上下に配置して軽量ブロックを挟む構造としてもよい。
【００１２】
また、後述するワイヤーによる吊り上げのための中空部とフック掛け部との形成のため、小枠７と小枠７に予め貫通させたフック掛け部８（例えば鉄の棒）をスラブの四隅に配置する。また、スラブの四隅の側面に、後述する仮止めのための凹部を形成するためのブロック（図示しない）を配置しておく。
【００１３】
なお、図１ｄの鎖線円で示したスラブの隅部の概略を図１ｅに示す。中空部９がスラブを貫通し、フック掛け部８がスラブに埋め込まれている。またスラブの側面には凹部１０が段違いで形成されている。
【００１４】
この状態で生コンクリートを流し込み、スラブ（２階床スラブ１２）を打設する。生コンクリートがある程度固まったら（例えば、２４時間）、２階床スラブ１２の上に型枠３を立設し、コンパネ４などを敷設する。以下同様に、トラス梁５などを配置し、生コンクリートを流し込み、スラブ（３階床スラブ１３）を打設する。この作業を繰り返し、必要なスラブを打設する。例えば、３階建ての建築物を施工する場合、２階床スラブ、３階床スラブ、屋根スラブの計３枚のスラブを順次打設する。
【００１５】
スラブの打設後は十分な強度を得るためにコンクリートの養生時間（約４週間）が必要である。従来工法では、スラブ毎にコンクリートを養生する必要があり、大幅に長い工期を必要となる。しかし、最初のスラブが十分な強度を得る前に、次のスラブの打設が可能となり、順次スラブの打設が可能となるため、工期を大幅に短縮できる。すなわち、従来の工法では、スラブの枚数×約４週間の時間を必要としていたが、本発明の方法では実質的に約４週間程度の時間で済むことになる。
【００１６】
次に、スラブの取り付けについて説明する。図２ａに示すように、最も上部にある屋根スラブ１４のフック掛け部にフック（図示しない）を介してワイヤー２４が取り付けられる。ワイヤー２４は、柱２の頂部に取り付けられた滑車２１と、基礎部１に取り付けられた滑車２２に掛けられている。例えばウインチ（図示しない）でワイヤー２４を引くことで屋根スラブ１４が吊り上げられる。
【００１７】
屋根スラブ１４が適切な位置まで吊り上げられると、屋根スラブ１４は柱２に仮止めされる。図２ｂに示すように、屋根スラブ１４の凹部１０に仮止め具４１（例えば鉄製の金属片）を挿入し、柱２の水平部材２ｂと仮止め具４１とが係止することにより、屋根スラブ１４に仮止めが行なわれる。凹部１０が段違いで形成されているため、２方向から仮止め具４１を挿入できる。なお、図２ｂでは柱２を簡略して図示している。
【００１８】
同様に、３階床スラブ１３も吊り上げられ、柱２に仮止めされる。ワイヤー２４は各スラブの中空部９を貫通するので、スラブの吊り上げにおいて支障はない。
【００１９】
更に、図３ａに示すように、２階床スラブ１２にワイヤー２４を取り付けて、２階床スラブ１２を所定の位置に吊り上げる。ここで、２階床スラブ１２をある程度吊り上げた状態で、基礎部１と２階床スラブ１２との間に筋違３１を挿入する。
【００２０】
筋違３１の一端は回動可能に２階床スラブ１２の下面に取り付けられている。例えば、打設時にフック掛け部８と同様の方法でリンク軸３２を設けておき、リンク軸３２に筋違３１の一端を回動可能に取り付けておく。
【００２１】
筋違３１の他端には、基礎部１上を転動可能なローラ付きの滑車２３が取り付けられている。滑車２３にはワイヤー２５が掛けられ、ワイヤー２４とワイヤー２５が同時に引かれる。したがって、２階床スラブ１２は、ワイヤー２４で吊り上げられると共に、筋違３１により押し上げられ、所定の位置に持ち上げられる。
【００２２】
筋違３１による押し上げがなくてもよいが、筋違３１により２階床スラブ１２が支持されているとワイヤー２４の張力が軽減されるので、ワイヤー２４の破損などが防止できる。また、吊り上げ作業中に地震などによる揺れがあっても、スラブが落下するなどの事故を防ぐことができる。
【００２３】
柱とスラブの固定について説明する。図３ｂに示すように、まず２階床スラブ１２の補強部材（例えばトラス梁５）に結合部材４２を柱２に貫通した状態で溶接する。図３ｃに結合部材４２の一例を示す。図では鉄製円板と鉄製棒が溶接された構造を有する。
【００２４】
図３ｄに示すように、その後、柱２の周囲を型枠４３に囲い、型枠４３内に生コンクリートを流し込む。生コンクリートは柱２の内部や周囲に行き渡り、２階床スラブ１２と柱２との隙間にも充填されるので、２階床スラブ１２と柱２とが固定される。
【００２５】
別の方法では、柱２が貫通可能な接合部材を用いてもよい。図３ｅでは、予め２階床スラブ１２の補強部材（例えばトラス梁５）に結合部材４４が接合されている。結合部材４４はスラブの打設前に柱２に貫通させておき、スラブの吊り上げまでに補強部材に接合（例えば溶接やボルト止め）しておけばよい。したがって、高所での溶接作業が不要となる。
【００２６】
この方法でも図３ｆに示すように、柱２の周囲を型枠４３に囲い、型枠４３内に生コンクリートを流し込む。生コンクリートは柱２の内部や周囲に行き渡り、２階床スラブ１２と柱２との隙間にも充填されるので、２階床スラブ１２と柱２とが固定される。そして、柱２の間に壁部材を取り付ける。
【００２７】
壁部材の取り付けは公知の方法で構わないが、図４に示すように、壁部材３３を取り付けて、柱２、２階床スラブ１２、柱２に接する壁部材３３とをコンクリートで打設することもできる。また、筋違３１が壁部材３３を補強する役目も果たす。なお、打設前に筋違３１の端部は基礎部１に固定されたリンク軸３４に固定される。したがって、下の階から建築物が組み立てられるので、施工の初期段階で建築物が不安定な構造とならない。
【００２８】
以下同様に、順次下位の階のスラブが取り付けられ、最後に屋根スラブ１４が柱２に取り付けられる。例えば、図５に示すように、２階床スラブ１２と３階床スラブ１３との間に筋違３１を挿入する。ワイヤー２４で吊り上げられると共に、筋違３１により押し上げられ、３階床スラブ１３が所定の位置に持ち上げられる。
【図面の簡単な説明】
【００２９】
【図１ａ】スラブを打設する前の建築物を上から見た図である。
【図１ｂ】スラブを打設する前の建築物の一部を示す図である。
【図１ｃ】図１ａのＡ−Ａ線断面図である。
【図１ｄ】スラブを打設する前の建築物を上から見た図である。
【図１ｅ】図１ｄの円で囲んだスラブの隅部を示す概略図である。
【図２ａ】スラブの取り付けの過程を示す図である。
【図２ｂ】スラブの仮止めを示す図である。
【図３ａ】スラブの取り付けの過程を示す図である。
【図３ｂ】スラブと柱との固定を示す図である。
【図３ｃ】結合部材の一例を示す図である。
【図３ｄ】スラブと柱との固定を示す図である。
【図３ｅ】スラブと柱との固定を示す図である。
【図３ｆ】スラブと柱との固定を示す図である。
【図４】スラブの取り付けの過程を示す図である。
【図５】スラブの取り付けの過程を示す図である。
【符号の説明】
【００３０】
１              基礎部
２              柱
３              型枠
４              コンパネ
５              トラス梁
６              鉄筋
１２            ２階床スラブ
１３            ３階床スラブ
１４            屋根スラブ
２１、２２      滑車
２３            滑車
２４、２５      ワイヤー
３１            筋違
３２            リンク軸
３３            壁部材
３４            リンク軸
４１            仮止め具
４２            結合部材
４３            型枠
４４            結合部材
【図１ａ】
2009299346.tif 000003
【図１ｂ】
2009299346.tif 000004
【図１ｃ】
2009299346.tif 000005
【図１ｄ】
2009299346.tif 000006
【図１ｅ】
2009299346.tif 000007
【図２ａ】
2009299346.tif 000008
【図２ｂ】
2009299346.tif 000009
【図３ａ】
2009299346.tif 000010
【図３ｂ】
2009299346.tif 000011
【図３ｃ】
2009299346.tif 000012
【図３ｄ】
2009299346.tif 000013
【図３ｅ】
2009299346.tif 000014
【図３ｆ】
2009299346.tif 000015
【図４】
2009299346.tif 000016
【図５】
2009299346.tif 000017